(57)【要約】【課題】製造コストの低減を図ったペットケージを提供すること。【解決手段】格子状の側壁を有する底面開口状のケージ本体１０と、該ケージ本体１０の底面開口を閉鎖する底板２０と、前記底板２０の周縁に設置し、前記側壁を形成する横桟１２にバックル３１のフック３３を係合させ、前記横桟１２を底板２０に引き寄せて前記ケージ本体１０を前記底板２０に係止する係止装置３０とを備えたペットケージにおいて、前記係止装置３０のバックル３１に対向する位置にある前記側壁を形成する縦桟１１，１１間の幅Ｗ１を、前記バックル３１の幅Ｗ２よりも僅かに大きくしたことを特徴としている。【選択図】        図２
2004166661.tif 000002
【特許請求の範囲】
【請求項１】
格子状の側壁を有する底面開口状のケージ本体と、該ケージ本体の底面開口を閉鎖する底板と、前記底板の周縁に設置し、前記側壁を形成する横桟にバックルのフックを係合させ、前記横桟を底板に引き寄せて前記ケージ本体を前記底板に係止する係止装置とを備えたペットケージにおいて、前記係止装置のバックルに対向する位置にある前記側壁を形成する縦桟間の幅を、前記バックルの幅よりも僅かに大きくしたことを特徴とするペットケージ。
【発明の詳細な説明】
【０００１】
【発明の属する技術分野】
本発明は、ペットケージに関するもので、詳しくは、底板に対してペットケージ本体を着脱可能に係止したペットケージに関するものである。
【０００２】
【従来の技術】
ペットケージとしては、ケージ本体を針金等によって格子状に形成し、それを合成樹脂等によって形成した底板に対して着脱可能に係止するものがある（例えば、特許文献１参照。）。
この特許文献１のペットケージで採用されている係止装置は、倍力機構を利用したもので、バックルの基端をリンクによって底板の軸受に支持させ、バックルの先端に形成したフックをケージ本体の横桟に係合させ、バックルを回動させることによってケージ本体を底板にロックするようにしている。
【０００３】
【特許文献１】
実公平６−４６２９２号公報（第１図，第４図）
【０００４】
【発明が解決しようとする課題】
ところで、このような係止装置を採用した場合には、ケージ本体に水平方向の力が作用し、ケージ本体が底板に対して水平方向に移動した場合には、ケージ本体を拘束することはできない。
そこで、特許文献１のペットケージでは、ケージ本体を形成する横桟にコ字状の膨出部を形成し、その膨出部にバックルのフックを係合させることによってケージ本体の水平方向の移動を阻止している。
【０００５】
しかしながら、このようにケージ本体の横桟の一部を膨出させることは、それだけ加工が複雑になり、製造コストが嵩むばかりでなく、ケージ本体製造過程において、ケージ本体を並べた場合に、膨出部が互いに接触して、それだけ保管スペースを必要とする。
【０００６】
そこで、本発明の目的は、ケージ本体の保管スペースを減少させ、かつ製造コストの低減を図ったペットケージを提供することにある。
【０００７】
【課題を解決するための手段】
本発明のペットケージでは、格子状の側壁を有する底面開口状のケージ本体と、該ケージ本体の底面開口を閉鎖する底板と、前記底板の周縁に設置し、前記側壁を形成する横桟にバックルのフックを係合させ、前記横桟を底板に引き寄せて前記ケージ本体を前記底板に係止する係止装置とを備えたペットケージにおいて、前記係止装置のバックルに対向する位置にある前記側壁を形成する縦桟間の幅を、前記バックルの幅よりも僅かに大きくしたことを特徴としている。
【０００８】
この発明によるペットケージでは、先行技術のように、略コ字状の膨出部を形成する必要がないので、それだけ桟の形状が単純になり、製造コストの低減が図れ、ケージ本体製造過程において、ケージ本体を隙間なく並べることができ、それだけ保管スペースを減少させることができる。
【０００９】
【発明の実施の形態】
以下に、本発明を図面に示した一実施の形態に基づいて説明する。
図１は本発明に係るペットケージの分解斜視図，図２は要部である係止装置の斜視図，図３はその係止装置の作用を説明するための断面図である。
【００１０】
このペットケージでは、図１に示したように、ケージ本体１０と底板２０とによって構成されている。
【００１１】
ケージ本体１０は、針金等の線状材料を格子状に形成したもので、下方に開口している。
【００１２】
一方、底板２０は、合成樹脂等で一体に形成されたもので、ケージ本体１０の下部を収容する面をもった底壁２１と、該底壁の周縁に立設した側壁２２を有しており、相対向する一組の側壁２２，２２のそれぞれ２箇所に切欠き２３が形成されている。また、底壁２１と側壁２２との会合部近傍における切欠き２３に対応する位置には、図２に示したように、底壁２１から上方に向けてガイド壁２４が立設され、側壁２２から内方に向けて位置決め壁２５が立設されている。
【００１３】
そして、側壁２２の切欠き２３には、図１及び図２に示したように、ケージ本体１０を底板２０に係止する係止装置３０が配設されている。
【００１４】
この係止装置３０は、バックル３１，リンク３２等によって構成され、リンクの一端の軸３２ａが切欠き２３の底面から立設された軸受２６に支持され、リンク３２の他端の軸３２ｂがバックル３１の基端部に連結されている。バックル３１の先端にはフック３３が形成されている。
【００１５】
また、ケージ本体１０では、上記係止装置３０のバックル３１に対向する位置にある縦桟１１，１１間の幅Ｗ１を、バックル３１の幅Ｗ２よりも僅かに大きくし、その縦桟１１，１１間に横桟１２を差し渡して溶接，接着剤等によって縦桟１１，１１に固着させている。
【００１６】
このように構成されたペットケージでは、以下のようにして、ケージ本体１０が底板２０に係止される。
【００１７】
先ず、ケージ本体１０をその下端が底板２０のガイド壁２４と位置決め壁２５との間に落とし込む。すると、ケージ本体１０は、図３（ａ）に示したように、ガイド壁２４と位置決め壁２５によって底板２０の所定位置に案内される。
【００１８】
次いで、バックル３１のフック３３を、図３（ｂ）に示したように、ケージ本体１０の横桟１２に係合させる。
【００１９】
そして、図３（ｃ）に示したように、バックル３１を回動させて、リンク３２の軸３２ｂを、横桟１２とリンク３２の軸３２ａとを結ぶ線Ａに対して図３（ｂ）にある軸３２ｂの位置と反対側の位置に移動させる。
この状態においては、倍力機構と同様の原理によりバックル３１はケージ本体１０を底板２０にロックする。
【００２０】
係止装置３０のロックを解除するには、バックル３１の基端に指を掛けて、バックル３１を上方に引き上げればよい。
【００２１】
なお、上記実施の形態では、ケージ本体１０におけるバックル３１のフック３３を係合させる横桟１２を、図１に示したように、特別に配設しているが、この横桟１２をケージ本体１０を形成するために全周に亘って張り巡らされいる横桟を利用してもよい。
【００２２】
また、縦桟１１についても、ケージ本体１０を形成するために張り巡らされている縦桟間の幅を全てバックル３１の幅Ｗ２よりも僅かに大きな幅にする必要はなく、係止装置３０のバックル３１に対向する位置にある縦桟１１，１１の幅Ｗ１のみをバックル３１の幅Ｗ２よりも僅かに大きな幅にすればよいことは言うまでもない。
【００２３】
更に、上記実施の形態では、ケージ本体１０を底板２０に装着させた状態で、ケージ本体１０の横桟１２とリンク３２の軸３２ａとをほぼ水平になるように配置している。このようにすると、ケージ本体１０の水平方向の力（図３における左方向の力）に対する抗力が増大するとともに、側壁２２の高さを低く抑えることができるが、横桟１２とリンク３２の軸３２ａとのレイアウトは適宜設定すればよい。
【００２４】
【発明の効果】
以上説明したように、本発明のペットケージでは、ケージ本体が底板に対して水平方向に移動しようとした場合に、側壁を形成する縦桟がバックルに当接して、その移動が阻止される。したがって、この発明によるペットケージでは、先行技術のように、略コ字状の膨出部を形成する必要がないので、それだけ桟の形状が単純になり、製造コストの低減が図れる。
また、ケージ本体製造過程において、ケージ本体を隙間なく並べることができるので、それだけ保管スペースを減少させることができる。
【図面の簡単な説明】
【図１】本発明に係るペットケージを示した分解斜視図である。
【図２】本発明に係るペットケージの要部である係止装置を示した斜視図である。
【図３】本発明に係る係止装置の作用を説明するための断面図である。
【符号の説明】
１０      ケージ本体
１１      縦桟
１２      横桟
２０      底板
２１      底壁
２２      側壁
２３      切欠き
２４      ガイド壁
２５      位置決め壁
２６      軸受
３０      係止装置
３１      バックル
３２ａ，３２ｂ      軸
３３      フック
【図１】
2004166661.tif 000003
【図２】
2004166661.tif 000004
【図３】
2004166661.tif 000005